(57)【要約】【課題】空間コンパウンド法による超音波画像診断において穿刺針の視認性を向上する。【解決手段】空間コンパウンド法により複数のサブフレーム受信信号を合成してフレーム受信信号を生成する超音波診断装置であって、複数のサブフレーム受信信号に含まれる１又は複数の画素からなる画素領域の受信信号から算出した特性値に基づき、画素領域の受信信号に対する強調量を算出して、複数のサブフレーム受信信号に対する複数のサブフレーム強調量マップを作成するサブフレーム強調量マップ作成部６２と、複数のサブフレーム強調量マップのうち１以上のサブフレーム強調量マップに含まれる各画素領域の受信信号に対する強調量に基づいて、複数のサブフレーム受信信号に含まれる各画素領域の受信信号を画素領域を基準に合成しフレームの強調済受信信号を生成する強調受信信号生成部Ｓとを備えた。【選択図】図１
2015213579.tif 000002
【特許請求の範囲】
【請求項１】
複数のステアリング角度の超音波ビームによりなされ各々被検体内における走査範囲が異なる複数回のサブ走査から構成される超音波走査により、超音波探触子を介して前記被検体から取得した複数のサブフレーム受信信号を合成してフレーム受信信号を生成する超音波画像処理方法であって、
前記複数のサブフレーム受信信号を取得するステップと、
前記複数のサブフレーム受信信号に含まれる１又は複数の画素からなる画素領域の受信信号から算出した特性値に基づき、前記画素領域の受信信号に対する強調量を算出して、前記複数のサブフレーム受信信号に対する複数のサブフレーム強調量マップを作成するステップと、
前記複数のサブフレーム強調量マップのうち１以上のサブフレーム強調量マップに含まれる各画素領域の受信信号に対する強調量に基づいて、前記複数のサブフレーム受信信号に含まれる各画素領域の受信信号を画素領域を基準に合成しフレームの強調済受信信号を生成する強調受信信号生成ステップと
を有する超音波画像処理方法。
【請求項２】
前記強調受信信号生成ステップは、
前記複数のサブフレーム受信信号に対するサブフレーム強調量マップを平均化することによりフレーム強調量マップを作成するサブステップと、
前記複数のサブフレーム受信信号を合成することによりフレーム受信信号を生成するサブステップと、
前記フレーム受信信号に含まれる各画素領域の受信信号に、前記フレーム強調量マップに含まれる各画素領域の受信信号に対する強調量を、画素領域毎に反映させて前記フレーム受信信号を強調するサブステップと
を有する請求項１に記載の超音波画像処理方法。
【請求項３】
前記フレーム強調量マップを作成するサブステップでは、さらに、強調量が所定値で上限値に達する又は近付くよう前記フレーム強調量マップを増幅する
請求項２に記載の超音波画像処理方法。
【請求項４】
前記所定値は合成されるサブフレームの数に応じて定まり、前記所定値は合成されるサブフレームの数が多いほど増加される
請求項３に記載の超音波画像処理方法。
【請求項５】
前記強調受信信号生成ステップは、
前記複数のサブフレーム受信信号に対するサブフレーム強調量マップを、当該サブフレーム受信信号を取得したときの前記ステアリング角度に関連する補正条件に基づき合成することによりフレーム強調量マップを作成するサブステップと、
前記複数のサブフレーム受信信号を合成することによりフレーム受信信号を生成するサブステップと、
前記フレーム受信信号に含まれる各画素領域の受信信号に、前記フレーム強調量マップに含まれる各画素領域の受信信号に対する強調量を、画素領域毎に反映させて前記フレーム受信信号を強調するサブステップと
を有する請求項１に記載の超音波画像処理方法。
【請求項６】
前記補正条件は、
前記各サブフレーム強調量マップのうち、強調量の最大値を含むサブフレーム強調量マップを、フレーム強調量マップにするという条件である
請求項５に記載の超音波画像処理方法。
【請求項７】
前記補正条件は、前記各サブフレーム強調量マップのうち、前記複数回のサブ走査の中でステアリング角度が中央値付近であるサブ走査に基づくサブフレーム強調量マップをフレーム強調量マップにするという条件である
請求項５に記載の超音波画像処理方法。
【請求項８】
前記補正条件は、前記複数回のサブ走査の中で前記ステアリング角度が中央値付近であるサブ走査に基づくサブフレーム強調量マップの重み付けを、前記ステアリング角度が中央値付近以外であるサブ走査に基づくサブフレーム強調量マップの重み付けよりも大きくして、前記サブフレーム強調量マップを重み付け加算することによりフレーム強調量マップを作成するという条件である
請求項５に記載の超音波画像処理方法。
【請求項９】
前記補正条件は、前記複数回のサブ走査の中で、前記ステアリング角度が中央値付近であるサブ走査に基づくサブフレーム強調量マップと、
前記ステアリング角度が中央値付近であるサブ走査以外のサブ走査に基づくサブフレーム強調量マップのうち、サブフレーム強調量マップに含まれる画素領域の強調量の総和が相対的に大きい少なくとも１のサブフレーム強調量マップとを合成するという条件である
請求項５に記載の超音波画像処理方法。
【請求項１０】
前記補正条件は、前記ステアリング角度が中央値付近であるサブ走査以外のサブ走査に基づくサブフレーム強調量マップのうち、サブフレーム強調量マップに含まれる画素領域の強調量の総和が相対的に大きい少なくとも１のサブフレーム強調量マップをフレーム強調量マップにするという条件である
請求項５に記載の超音波画像処理方法。
【請求項１１】
前記補正条件は、前記複数回のサブ走査の中で、前記ステアリング角度が中央値付近であるサブ走査に基づくサブフレーム強調量マップと、
前記ステアリング角度が中央値付近であるサブ走査以外のサブ走査に基づくサブフレーム強調量マップのうち、前記ステアリング角度が所定値である少なくとも１のサブ走査に基づくサブフレーム強調量マップとを合成するという条件である
請求項５に記載の超音波画像処理方法。
【請求項１２】
前記補正条件は、前記ステアリング角度が中央値付近であるサブ走査以外のサブ走査に基づくサブフレーム強調量マップのうち、前記ステアリング角度が所定値である少なくとも１のサブ走査に基づくサブフレーム強調量マップを、フレーム強調量マップにするという条件である
請求項５に記載の超音波画像処理方法。
【請求項１３】
前記強調受信信号生成ステップは、
前記各サブフレーム受信信号に含まれる各画素領域の受信信号に、前記各サブフレーム強調量マップに含まれる各画素領域の受信信号に対する強調量を画素領域毎に反映させて各サブフレームの強調済受信信号を生成するサブステップと、
前記各サブフレームの強調済受信信号を平均化して前記フレームの強調済受信信号を生成するサブステップと
を有する請求項１に記載の超音波画像処理方法。
【請求項１４】
前記強調受信信号生成ステップは、
前記各サブフレーム受信信号に含まれる各画素領域の受信信号に、前記各サブフレーム強調量マップに含まれる各画素領域の受信信号に対する強調量を画素領域毎に反映させて各サブフレームの強調済受信信号を生成するサブステップと、
前記各サブフレームの強調済受信信号を、当該サブフレーム受信信号を取得したときの前記ステアリング角度に関連した補正情報に基づき合成して前記フレームの強調済受信信号を生成するサブステップと
を有する請求項１に記載の超音波画像処理方法。
【請求項１５】
前記画素領域の受信信号から算出される特性値は、前記画素領域の受信信号と、当該画素領域の受信信号が取得されたサブ走査とステアリング角度が同じ前記サブ走査より前のサブ走査により取得された同一画素領域の受信信号との差分であり、当該差分が大きいほど前記強調量が大きい
請求項１〜１４の何れか１項に記載の超音波画像処理方法。
【請求項１６】
前記画素領域の受信信号から算出される特性値は、前記画素領域の受信信号と前記画素領域周囲の画素領域の受信信号との差分であり、当該差分が大きいほど前記強調量が大きい
請求項１〜１４の何れか１項に記載の超音波画像処理方法。
【請求項１７】
前記被検体中の前記走査範囲には穿指針が刺入されており
前記フレーム強調量マップには、前記フレーム受信信号中の穿指針を示す受信信号の部分に強調量がマッピングされている
請求項１〜１４の何れか１項に記載の超音波画像処理方法。
【請求項１８】
前記フレーム受信信号を強調するサブステップでは、前記フレーム受信信号における前記フレーム強調量マップにおいて強調量がマッピングされている部分の受信信号が示す輝度を増加する
請求項２又は５の何れか１項に記載の超音波画像処理方法。
【請求項１９】
前記フレーム受信信号を強調するサブステップでは、前記フレーム受信信号における前記フレーム強調量マップにおいて強調量がマッピングされている部分の受信信号が示す色を変更する
請求項２又は５の何れか１項に記載の超音波画像処理方法。
【請求項２０】
前記受信信号は、超音波探触子を介して前記被検体から取得した反射超音波に基づき生成された音響線信号、又は当該音響線信号に基づき直交座標系に変換されたＢモード画像信号の何れか一方である
請求項１から１９の何れか１項に記載の超音波画像処理方法。
【請求項２１】
請求項１から２０の何れか１項に記載の超音波画像処理方法をコンピュータに実行させるプログラムが記録されたコンピュータ読み取り可能な非一時的な記録媒体。
【請求項２２】
複数のステアリング角度の超音波ビームによりなされ各々被検体内における走査範囲が異なる複数回のサブ走査から構成される超音波走査により、超音波探触子を介して前記被検体から取得した複数のサブフレーム受信信号を合成してフレーム受信信号を生成する超音波診断装置であって、
前記複数のサブフレーム受信信号を取得する受信信号取得部と、
前記複数のサブフレーム受信信号に含まれる１又は複数の画素からなる画素領域の受信信号から算出した特性値に基づき、前記画素領域の受信信号に対する強調量を算出して、前記複数のサブフレーム受信信号に対する複数のサブフレーム強調量マップを作成するサブフレーム強調量マップ作成部と、
前記複数のサブフレーム強調量マップのうち１以上のサブフレーム強調量マップに含まれる各画素領域の受信信号に対する強調量に基づいて、前記複数のサブフレーム受信信号に含まれる各画素領域の受信信号を画素領域を基準に合成しフレームの強調済受信信号を生成する強調受信信号生成部と
を備えた超音波診断装置。
【請求項２３】
前記強調受信信号生成部は、
前記複数のサブフレーム受信信号に対するサブフレーム強調量マップを平均化することによりフレーム強調量マップを作成するフレーム強調量マップ合成部と、
前記複数のサブフレーム受信信号を合成することによりフレーム受信信号を生成する受信信号合成部と、
前記フレーム受信信号に含まれる各画素領域の受信信号に、前記フレーム強調量マップに含まれる各画素領域の受信信号に対する強調量を、画素領域毎に反映させて前記フレーム受信信号を強調する受信信号強調部と
を備えた請求項２２に記載の超音波診断装置。
【請求項２４】
前記強調受信信号生成部は、
前記複数のサブフレーム受信信号に対するサブフレーム強調量マップを、当該サブフレーム受信信号を取得したときの前記ステアリング角度に関連する補正条件に基づき合成することによりフレーム強調量マップを作成するフレーム強調量マップ合成部と、
前記複数のサブフレーム受信信号を合成することによりフレーム受信信号を生成する受信信号合成部と、
前記フレーム受信信号に含まれる各画素領域の受信信号に、前記フレーム強調量マップに含まれる各画素領域の受信信号に対する強調量を、画素領域毎に反映させて前記フレーム受信信号を強調する受信信号強調部と
を備えた請求項２２に記載の超音波診断装置。
【発明の詳細な説明】
【技術分野】
【０００１】
本開示は、超音波画像処理方法及びそれを用いた超音波診断装置に関し、特に空間コンパウンド法を用いた超音波画像診断技術に関する。
【背景技術】
【０００２】
近年、被検体である患者の生体内に穿刺針を挿入して組織や体液を採取し、これを診断する生体組織診断が行われている。また、麻酔科、集中治療室、ペインクリニック科では、穿刺針を用いた麻酔治療が実施されている。これらの診断では、医師等の操作者は、超音波探触子にて取得した被検体内の超音波画像を見て穿刺針の位置を確認し穿刺針の穿刺を実施する。このとき、モニター上において、穿刺針、特にその先端部の位置を確認できることが必要であり、超音波診断装置における穿刺針の視認性向上が求められている。
【０００３】
これに対し、近年では、例えば、受信信号を基に超音波断層画像より高輝度部分を抽出し、抽出部分を色付けして超音波断層画像上に重畳して表示させる超音波穿刺システムが提案されている（例えば、特許文献１）。また、超音波診断装置において超音波断層画像フレームデータの時間差分を計算し、空間変化を超音波断層画像フレームデータに加算処理する方法が提案されている（例えば、特許文献２）。これらの文献には、超音波断層画像上に鮮明な穿刺針の画像が得られることが記載されている。
【先行技術文献】
【特許文献】
【０００４】
【特許文献１】特開２０００−１０７１７８号公報
【特許文献２】特開２００１−２６９３３９号公報
【発明の概要】
【発明が解決しようとする課題】
【０００５】
ところが、超音波診断装置は、超音波探触子から被検体内に向けて超音波ビームを送信し反射される反射超音波（エコー信号）を可視化する手法である。したがって、例えば、被検体に対し穿刺針が鋭角に刺入される場合等、超音波ビームと穿刺針との角度が小さい条件では、穿刺針にて反射され超音波探触子に入信する反射超音波が弱くなり穿刺針の可視化が不十分となる。そのため、このような条件下での穿刺針の視認性向上が求められていた。
【０００６】
特に、近年、高ＳＮ比化や広視野表示等の理由から、広く普及している複数のステアリング角度からなる超音波ビームにより取得された超音波断層画像を合成して表示する空間コンパウンド法を用いた超音波画像診断においては上記現象がより顕著に現れる。すなわち、使用する超音波ビームのステアリング角度によっては超音波ビームと穿刺針との角度が小さくなる場合があり、このような場合の穿刺針の視認性をより一層改善することが求められていた。
【０００７】
本開示は、上記課題に鑑みてなされたものであり、空間コンパウンド法による超音波画像診断において穿刺針の視認性を向上し、より使い勝手のよい超音波画像処理方法及びそれを用いた超音波診断装置を提供することを目的とする。
【課題を解決するための手段】
【０００８】
本開示の一態様に係る超音波画像処理方法は、複数のステアリング角度の超音波ビームによりなされ各々被検体内における走査範囲が異なる複数回のサブ走査から構成される超音波走査により、超音波探触子を介して前記被検体から取得した複数のサブフレーム受信信号を合成してフレーム受信信号を生成する超音波画像処理方法であって、前記複数のサブフレーム受信信号を取得するステップと、前記複数のサブフレーム受信信号に含まれる１又は複数の画素からなる画素領域の受信信号から算出した特性値に基づき、前記画素領域の受信信号に対する強調量を算出して、前記複数のサブフレーム受信信号に対する複数のサブフレーム強調量マップを作成するステップと、前記複数のサブフレーム強調量マップのうち１以上のサブフレーム強調量マップに含まれる各画素領域の受信信号に対する強調量に基づいて、前記複数のサブフレーム受信信号に含まれる各画素領域の受信信号を画素領域を基準に合成しフレームの強調済受信信号を生成する強調受信信号生成ステップとを有することを特徴とする。
【０００９】
また、本開示の一態様に係る超音波診断装置は、複数のステアリング角度の超音波ビームによりなされ各々被検体内における走査範囲が異なる複数回のサブ走査から構成される超音波走査により、超音波探触子を介して前記被検体から取得した複数のサブフレーム受信信号を合成してフレーム受信信号を生成する超音波診断装置であって、前記複数のサブフレーム受信信号を取得する受信信号取得部と、前記複数のサブフレーム受信信号に含まれる１又は複数の画素からなる画素領域の受信信号から算出した特性値に基づき、前記画素領域の受信信号に対する強調量を算出して、前記複数のサブフレーム受信信号に対する複数のサブフレーム強調量マップを作成する強調量マップを作成部と、前記複数のサブフレーム強調量マップのうち１以上のサブフレーム強調量マップに含まれる各画素領域の受信信号に対する強調量に基づいて、前記複数のサブフレーム受信信号に含まれる各画素領域の受信信号を画素領域を基準に合成しフレームの強調済受信信号を生成する強調受信信号生成部とを備えたことを特徴とする。
【発明の効果】
【００１０】
本開示の一態様に係る超音波画像処理方法及びそれを用いた超音波診断装置によれば、上記構成により、穿刺針に対する強調量を適切にマッピングしたフレーム強調量マップを作成することができる。そのため、空間コンパウンド法を用いた超音波画像診断において穿刺針の視認性向上が可能となり、超音波診断装置の使い勝手を向上させることができる。
【図面の簡単な説明】
【００１１】
【図１】実施の形態１に係る超音波診断装置１０の機能ブロック図である。
【図２】実施の形態１に係る超音波診断装置１０の動作を示すフローチャートである。
【図３】実施の形態１に係る超音波診断装置１０の動作を示す説明図である。
【図４】（ａ）から（ｅ）は、実施の形態１に係る超音波診断装置１０における穿刺針強調動作を説明するための模式図である。
【図５】実施の形態１に係る超音波診断装置１０により取得された穿刺針が強調されたＢモード画像である。
【図６】比較例に係る発明者らが想定した超音波診断装置１０Ｙにより取得されたＢモード画像である。
【図７】実施の形態１の変形例１に係る超音波診断装置における穿刺針強調動作を説明するための模式図である。
【図８】は、実施の形態１の変形例１に係る超音波診断装置により取得された穿刺針が強調されたＢモード画像である。
【図９】実施の形態２に係る超音波診断装置における第１の方法によるフレーム強調量マップ合成方法を示す模式図である。
【図１０】実施の形態２に係る超音波診断装置における第１の方法により取得された穿刺針が強調されたＢモード画像である。
【図１１】実施の形態２に係る超音波診断装置における第２の方法によるフレーム強調量マップ合成方法を示す模式図である。
【図１２】実施の形態２に係る超音波診断装置における第２の方法により取得された穿刺針が強調されたＢモード画像である。
【図１３】実施の形態２に係る超音波診断装置における第３の方法によるフレーム強調量マップ合成方法を示す模式図である。
【図１４】実施の形態２に係る超音波診断装置における第３の方法により取得された穿刺針が強調されたＢモード画像である。
【図１５】実施の形態２に係る超音波診断装置における第４の方法によるフレーム強調量マップ合成方法を示す模式図である。
【図１６】実施の形態２に係る超音波診断装置における第５の方法によるフレーム強調量マップ合成方法を示す模式図である。
【図１７】実施の形態３に係る超音波診断装置１０Ａの機能ブロック図である。
【図１８】実施の形態３に係る超音波診断装置１０Ａの動作を示す説明図である。
【図１９】従来の超音波診断装置１０Ｘの機能ブロック図である。
【図２０】（ａ）から（ｃ）は、従来の超音波診断装置１０Ｘの動作を説明するための模式図である。
【図２１】従来の超音波診断装置１０Ｘにより取得されたサブフレームＢモード画像を示したＢモード画像である。
【図２２】発明者らが想定した超音波診断装置１０Ｙの機能ブロック図である。
【図２３】発明者らが想定した超音波診断装置１０Ｙの動作を示すフローチャートである。
【図２４】（ａ）から（ｃ）は、発明者らが想定した超音波診断装置１０Ｙにおける穿刺針強調動作の一例を説明するための模式図である。
【図２５】（ａ）から（ｅ）は、発明者らが想定した超音波診断装置１０Ｙにおける穿刺針強調動作の別の動作の一例を説明するための模式図である。
【図２６】（ａ）から（ｅ）は、発明者らが想定した超音波診断装置１０Ｙにおける穿刺針強調動作の別動作の一例を説明するための模式図である。
【発明を実施するための形態】
【００１２】
≪発明を実施するための形態に至った経緯について≫
発明者らは空間コンパウンド法を用いた超音波画像診断において穿刺針の視認性を向上するために各種の検討を行った。
１．従来の超音波診断装置１０Ｘにおける空間コンパウンド法によるＢモード画像上の穿刺針の視認性について
図１９は、従来の超音波診断装置１０Ｘの構成を示すブロック図である。超音波診断装置１０Ｘは、超音波送受信部２Ｘ、送受信制御部３Ｘ、Ｂモード画像生成部４Ｘ、Ｂモード画像処理部５Ｘ、及び表示制御部７Ｘから構成される。Ｂモード画像処理部５Ｘは、Ｂモード画像取得部５１Ｘ、Ｂモード画像合成部５２Ｘから構成されている。また、超音波診断装置１０Ｘの超音波送受信部２Ｘには超音波探触子１Ｘが、表示制御部７Ｘには表示器８Ｘが各々接続可能に構成されている。
【００１３】
図２０（ａ）から（ｃ）は、従来の超音波診断装置１０Ｘの動作を説明するための模式図である。超音波診断装置１０Ｘでは、図２０（ａ）に示すように、超音波探触子１Ｘの振動子列から、例えば３方向に向けてステアリング角度を３段階に振って超音波ビームの送受信が順次なされる。図２０（ｂ）は、３方向に向けてされる超音波ビームの送受信（以後、「サブ走査１」、「サブ走査２」、「サブ走査３」（３方向を区別しない場合には単に「サブ走査」）と称呼する）を、別々に図示した模式図である。
【００１４】
図１９において、超音波送受信部２Ｘは、送受信制御部３Ｘからの送信制御信号に基づき、超音波探触子１Ｘに超音波ビームを送信させるためのパルス状の送信超音波信号を供給する送信処理を行う。このとき、送受信制御部３Ｘから超音波送受信部２Ｘに対し、サブ走査における超音波ビームの出射方向を制御する送信制御信号が出力される。
超音波送受信部２Ｘは、さらに、超音波探触子１Ｘから取得した反射超音波に基づく超音波信号を増幅した後ＡＤ変換したＲＦ信号を整相加算して深さ方向に連なった音響線信号を生成し、Ｂモード画像処理部５Ｘに出力する。そして、サブ走査の順に時系列に音響線信号をＢモード画像生成部４Ｘに出力する。
【００１５】
Ｂモード画像生成部４Ｘは、音響線信号に対して包絡線検波、対数圧縮などの処理を実施して輝度変換し、その輝度信号を直交座標系に座標変換を施すことでＢモード画像信号を生成する。Ｂモード画像生成部４Ｘにて生成されたＢモード画像信号は、サブ走査を行う毎に時系列にＢモード画像取得部５１Ｘに送信され記憶される。Ｂモード画像取得部５１ＸはＢモード画像信号を記憶するバッファである。
【００１６】
Ｂモード画像合成部５２Ｘは、Ｂモード画像取得部５１Ｘから各サブ走査により取得されたサブフレームＢモード画像信号を取得し、図２０（ｃ）に示すように、同一位置から取得されたＢモード画像信号が重なる部分を加算平均する空間コンパウンド法により合成してフレームＢモード画像信号を生成し、表示制御部７Ｘを介して表示器８Ｘに空間コンパウンドがなされたＢモード画像が表示される。
【００１７】
図２１は、従来の超音波診断装置１０Ｘにより取得されたサブフレームＢモード画像信号を示したＢモード画像の表示例である。図２１におけるサブ走査１、２、３と記載したＢモード画像信号は、図２０（ｂ）におけるサブ走査１、２、３と記載した模式図の状態において取得されたサブフレームＢモード画像信号によるＢモード画像を示したものである。図２１中矢印で示したように、穿刺針（図中Ａで示される部分）は紙面右側上方から左下方向に向けて刺入されている。
【００１８】
超音波は、組織境界等、音響インピーダンスに差異がある境界で反射するが、境界面に対して９０度に近い角度であたるほど強く反射し、明瞭な反射超音波が得られる。したがって、図２１におけるサブ走査１のように、穿刺針と超音波ビームのなす角度が小さい場合、穿刺針からの反射超音波が超音波探触子１Ｘに受信されないために、強く明瞭な反射超音波が得られない。その結果、サブ走査１では、Ｂモード画像中において穿刺針は殆ど目立たない。
【００１９】
これに対し、サブ走査２及びサブ走査３では、穿刺針と超音波ビームのなす角度が大きく穿刺針との境界で強く明瞭な反射超音波が得られ、反射超音波が超音波探触子１Ｘに受信され、Ｂモード画像において穿刺針は明確に表示される。発明者らの実験によると、通常、穿刺針と超音波ビームのなす角度が４５度以下であるような場合に穿刺針の視認度が極端に低下する。
【００２０】
そして、このようなサブ走査１、２、３により取得したサブフレームＢモード画像信号を、空間コンパウンド法により合成してフレームＢモード画像信号を生成した場合には、各サブフレーム間において穿刺針を示すＢモード画像信号は加算平均されるために、フレームＢモード画像における穿刺針の視認度は、明瞭に表示されるサブ走査２及び３の場合に比べて低下する。
【００２１】
２．発明者らが想定した超音波診断装置１０Ｙにおける空間コンパウンド法によるＢモード画像上の穿刺針の視認性について
（１）エッジ強調処理
発明者らは空間コンパウンド法によるＢモード画像におけるエッジ強調処理による穿刺針の視認性向上について検討を行った。図２２は、発明者らが想定した超音波診断装置１０Ｙの機能ブロック図である。超音波診断装置１０Ｙは、超音波診断装置１０Ｘの構成に強調処理部６Ｙを追加した点で超音波診断装置１０Ｘと相違し、他の構成については超音波診断装置１０Ｘと同じである。強調処理部６Ｙは、強調処理用Ｂモード画像取得部６１Ｙ、強調量マップ作成部６２Ｙ、及びＢモード画像強調部６３Ｙから構成されている。図２３は、超音波診断装置１０ＹにおけるＢモード画像処理部５Ｙ及び強調処理部６Ｙの動作を示すフローチャートである。図２４（ａ）から（ｃ）は、発明者らが想定した超音波診断装置１０Ｙにおける穿刺針強調動作の一例を説明するための模式図である。
【００２２】
図２３におけるステップＳ２０１Ｙでは、Ｂモード画像合成部５２Ｘは、バッファとしてのＢモード画像取得部５１Ｘに記憶されているサブフレームＢモード画像信号を読み出し、図２４（ａ）に示すように、Ｂモード画像信号が重なる部分を加算平均する方法により合成してフレームＢモード画像信号を合成し、強調処理用Ｂモード画像取得部６１Ｙに出力する。
【００２３】
次に、ステップＳ２０２Ｙでは、サブフレーム強調量マップ作成部６２Ｙは、強調処理用Ｂモード画像取得部６１ＹからフレームＢモード画像信号を読み出し、図２４（ｂ）に示すように、例えばエッジ強調処理等を用いることによりフレーム強調量マップを作成する。フレーム強調量マップとは、Ｂモード画像信号から穿刺針が存在する部分を抽出しその部分に対する強調量Ｂをマッピングした信号配列である。Ｂモード画像信号において穿刺針と被検体との境界付近では、他の被検体領域に比べて輝度が急峻に変化することから、例えば、エッジ強調等を用いることにより穿刺針を抽出することができる。
【００２４】
次に、ステップＳ２０３Ｙでは、Ｂモード画像強調部６３Ｙは、強調処理用Ｂモード画像取得部６１ＹからフレームＢモード画像信号を読み出し、ステップＳ２０２Ｙにて作成したフレーム強調量マップに基づいて、図２４（ｃ）に示すように、フレームＢモード画像信号に対し強調処理を施す。
このとき、フレーム強調量マップにおいて穿刺針が存在する部分に対する強調量Ｂが適切にマッピングされている場合には、フレームＢモード画像信号における穿刺針が存在する部分ＡのＢモード画像信号に対して強調処理がなされる。しかしながら、上述のとおり、サブ走査１、２、３により取得したサブフレームＢモード画像信号（以後、「サブフレームＢモード画像信号１、２、３」と表記）を合成したフレームＢモード画像信号（以後、フレームＢモード画像信号（１＋２＋３）と表記）では穿刺針Ａの視認度は、明瞭なサブ走査２及び３の場合に比べて低下している。そのため、フレームＢモード画像信号（１＋２＋３）に基づいて作成したフレーム強調量マップの強調量も小さく、その結果、強調後のフレームＢモード画像信号における強調度合いは小さくなる。
【００２５】
（２）動き量に基づく強調処理
次に、発明者らは空間コンパウンド法によるＢモード画像における動き量に基づく強調処理による穿刺針の視認性向上について検討を行った。図２５（ａ）から（ｅ）は、発明者らが想定した超音波診断装置１０Ｙにおける穿刺針強調動作の別の動作の一例を説明するための模式図である。Ｂモード画像処理部５Ｙ及び強調処理部６Ｙの動作を示すフローチャートは、図２３のフローチャートと同じである。
【００２６】
ステップＳ２０１Ｙでは、Ｂモード画像合成部５２Ｘは、Ｂモード画像取得部５１Ｘから各サブ走査により取得されたサブフレームＢモード画像信号を読み出し、Ｂモード画像信号が重なる部分を加算平均する方法により合成してフレームＢモード画像信号を生成し、強調処理用Ｂモード画像取得部６１Ｙに出力する。このフレームＢモード画像信号の生成は、サブ走査が行われるたびに行われる。例えば、図２５（ａ）に示す場合は、サブ走査１、２、３が行われた段階であり、サブ走査１、２、３にて取得したサブフレームＢモード画像信号１、２、３に基づきフレームＢモード画像信号（１＋２＋３）が生成される。図２５（ｂ）に示す場合は、加えて、サブ走査４がされた段階であり、サブ走査２、３、４にて取得した３サブフレーム分のサブフレームＢモード画像信号に基づきフレームＢモード画像信号（２＋３＋４）が生成される。これらの、フレームＢモード画像信号は順次強調処理用Ｂモード画像取得部６１Ｙに出力され蓄積される。
【００２７】
次に、ステップＳ２０２Ｙでは、サブフレーム強調量マップ作成部６２Ｙは、強調処理用Ｂモード画像取得部６１Ｙから、現フレームを含む２以上のフレームＢモード画像信号を読み出し、フレーム間差分を行う。フレーム間差分とは、現フレームのＢモード画像信号と被検体の同一位置から取得された現フレームより前のフレームＢモード画像信号との差分である。画素領域が複数の画素からなる場合には、複数画素の平均輝度を用いて画素領域間の輝度の差分を算出することができる。また、３以上のフレームＢモード画像信号を用いてフレーム間差分を行う場合には、例えば、２フレーム間で行った複数のフレーム間差分の結果の平均値や分散値を算出する構成としてもよい。フレーム間差分が大きいほどそのＢモード画像信号に対する強調量が大きくなる条件によりフレーム強調量マップを作成する。上記フレーム間差分等を用いることにより穿刺針の動きを示すＢモード画像信号の部分を抽出することができる。図２５（ｄ）に示すように、このフレーム間差分の結果に基づいてフレーム強調量マップ（４−１）が作成され、強調処理用Ｂモード画像取得部６１Ｙに出力される。
【００２８】
次に、ステップＳ２０３Ｙでは、図２５（ｅ）に示すように、Ｂモード画像強調部６３Ｙは、強調処理用Ｂモード画像取得部６１Ｙから対象フレームであるフレームＢモード画像信号（４＋５＋６）を読み出し、ステップＳ２０２Ｙにて作成したフレーム強調量マップ（４−１）に基づいて強調処理が施されフレームＢモード画像信号（４＋５＋６）が生成される。
【００２９】
このとき、フレーム強調量マップにおいて穿刺針が存在する部分に対する強調量が適切にマッピングされている場合には、フレームＢモード画像信号における主に穿刺針が存在する部分のＢモード画像信号に対して強調処理がなされる。しかしながら、図２５（ｃ）に示すように、サブ走査１、２、３により取得したフレームＢモード画像信号（１＋２＋３）と、サブ走査２、３、４により取得したフレームＢモード画像信号（２＋３＋４）とのフレーム間差分は、図２５（ｃ）に示すように実質的にはサブ走査４により取得されたサブフレームＢモード画像信号４（以後、「サブフレームＢモード画像信号４」と表記する）と、サブ走査１により取得されたサブフレームＢモード画像信号１とのフレーム間差分となる。サブフレームＢモード画像信号４及び１は、共に、穿刺針と超音波ビームのなす角度が小さい条件で取得されており穿刺針が明瞭に示されておらず穿刺針は殆ど目立たない。そのため、サブフレームＢモード画像信号４と１との間でフレーム間差分を行い動き量を算出しても、穿刺針を検出することは難しく、このフレーム間差分に基づき作成したフレーム強調量マップにおける強調量は極めて小さい。その結果、図２５（ｅ）に示すように、強調後のフレームＢモード画像信号（４＋５＋６）における強調度合いは小さいものとなる。
【００３０】
図２６（ａ）から（ｅ）は、超音波診断装置１０Ｙにおける穿刺針強調動作の別の一例を説明するための模式図である。図２５（ｂ）から、さらにサブ走査５が行われた後の状態を表す。
図２６（ａ）は、サブ走査２、３、４が行われた状態であり、サブ走査２、３、４にて取得したサブフレームＢモード画像信号２、３、４に基づきフレームＢモード画像信号（２＋３＋４）が生成される。図２６（ｂ）は、加えて、サブ走査５が行われた状態であり、サブ走査３、４、５にて取得したサブフレームＢモード画像信号３、４、５に基づきフレームＢモード画像信号（３＋４＋５）が生成される。
【００３１】
次に、フレームＢモード画像信号（３＋４＋５）とフレームＢモード画像信号（２＋３＋４）との間でフレーム間差分が行われ、図２６（ｄ）に示すように、フレーム強調量マップ（５−２）が作成される。
ここでは、図２６（ｃ）に示すように、フレーム間差分は、実質的にはサブフレームＢモード画像信号５とサブフレームＢモード画像信号２とのフレーム間差分となる。サブフレームＢモード画像信号５及び２は、共に、穿刺針と超音波ビームのなす角度が大きい条件で取得されており穿刺針が明瞭に示されている。そのため、このフレーム間差分から導いた動き量に基づいて穿刺針を検出することができ、図２５（ｄ）に示すように、フレーム強調量マップ（５−２）における強調量は大きい。その結果、図２５（ｅ）に示すように、強調後のフレームＢモード画像信号（３＋４＋５）における穿刺針の強調度合いは大きいものとなる。
【００３２】
このように、空間コンパウンド法により合成したＢモード画像での穿刺針強調処理において、フレームＢモード画像信号間のフレーム間差分により作成したフレーム強調量マップを用いる場合、サブ走査においてステアリング角度が変わるサイクル毎に穿刺針の強調量が極めて小さくなる場合がある。
そこで、発明者らは、空間コンパウンド法によるＢモード画像の穿刺針強調処理において、穿刺針に対する強調量を適切にマッピングしたフレーム強調量マップを作成する方法について検討を行い、本発明の実施の形態に係る超音波画像処理方法及びそれを用いた超音波診断装置に想到するに至った。
【００３３】
以下、実施の形態に係る超音波画像処理方法及びそれを用いた超音波診断装置超について図面を用いて詳細に説明する。
≪本発明を実施するための形態の概要≫
本実施の形態に係る超音波画像処理方法は、複数のステアリング角度の超音波ビームによりなされ各々被検体内における走査範囲が異なる複数回のサブ走査から構成される超音波走査により、超音波探触子を介して前記被検体から取得した複数のサブフレーム受信信号を合成してフレーム受信信号を生成する超音波画像処理方法であって、前記複数のサブフレーム受信信号を取得するステップと、前記複数のサブフレーム受信信号に含まれる１又は複数の画素からなる画素領域の受信信号から算出した特性値に基づき、前記画素領域の受信信号に対する強調量を算出して、前記複数のサブフレーム受信信号に対する複数のサブフレーム強調量マップを作成するステップと、前記複数のサブフレーム強調量マップのうち１以上のサブフレーム強調量マップに含まれる各画素領域の受信信号に対する強調量に基づいて、前記複数のサブフレーム受信信号に含まれる各画素領域の受信信号を画素領域を基準に合成しフレームの強調済受信信号を生成する強調受信信号生成ステップとを有することを特徴とする。
【００３４】
また、別の態様では、前記強調受信信号生成ステップは、前記複数のサブフレーム受信信号に対するサブフレーム強調量マップを平均化することによりフレーム強調量マップを作成するサブステップと、前記複数のサブフレーム受信信号を合成することによりフレーム受信信号を生成するサブステップと、前記フレーム受信信号に含まれる各画素領域の受信信号に、前記フレーム強調量マップに含まれる各画素領域の受信信号に対する強調量を、画素領域毎に反映させて前記フレーム受信信号を強調するサブステップとを有する構成であってもよい。
【００３５】
また、別の態様では、前記フレーム強調量マップを作成するサブステップでは、さらに、強調量が所定値で上限値に達する又は近付くよう前記フレーム強調量マップを増幅する構成であってもよい。
また、別の態様では、前記所定値合成されるサブフレームの数に応じて定まり、前記所定値は合成されるサブフレームの数が多いほど増加される構成であってもよい。
【００３６】
また、別の態様では、前記強調受信信号生成ステップは、前記複数のサブフレーム受信信号に対するサブフレーム強調量マップを、当該サブフレーム受信信号を取得したときの前記ステアリング角度に関連する補正条件に基づき合成することによりフレーム強調量マップを作成するサブステップと、前記複数のサブフレーム受信信号を合成することによりフレーム受信信号を生成するサブステップと、前記フレーム受信信号に含まれる各画素領域の受信信号に、前記フレーム強調量マップに含まれる各画素領域の受信信号に対する強調量を、画素領域毎に反映させて前記フレーム受信信号を強調するサブステップとを有する構成であってもよい。
【００３７】
また、別の態様では、前記補正条件は、前記各サブフレーム強調量マップのうち、強調量の最大値を含むサブフレーム強調量マップを、フレーム強調量マップとするという条件である構成であってもよい。
また、別の態様では、前記補正条件は、前記各サブフレーム強調量マップのうち、前記複数回のサブ走査の中でステアリング角度が中央値付近であるサブ走査に基づくサブフレーム強調量マップをフレーム強調量マップとするという条件である構成であってもよい。
【００３８】
また、別の態様では、前記補正条件は、前記複数回のサブ走査の中で前記ステアリング角度が中央値付近であるサブ走査に基づくサブフレーム強調量マップの重み付を、前記ステアリング角度が中央値付近以外であるサブ走査に基づくサブフレーム強調量マップの重み付よりも大きくして、前記サブフレーム強調量マップを重み付け加算することによりフレーム強調量マップを生成するという条件である構成であってもよい。
【００３９】
また、別の態様では、前記補正条件は、前記複数回のサブ走査の中で、前記ステアリング角度が中央値付近であるサブ走査に基づくサブフレーム強調量マップと、前記ステアリング角度が中央値付近であるサブ走査以外のサブ走査に基づくサブフレーム強調量マップのうち、サブフレーム強調量マップに含まれる画素領域の強調量の総和が相対的に大きい少なくとも１のサブフレーム強調量マップとを合成するという条件である構成であってもよい。
【００４０】
また、別の態様では、前記補正条件は、前記ステアリング角度が中央値付近であるサブ走査以外のサブ走査に基づくサブフレーム強調量マップのうち、サブフレーム強調量マップに含まれる画素領域の強調量の総和が相対的に大きい少なくとも１のサブフレーム強調量マップをフレーム強調量マップにするという条件である構成であってもよい。
また、別の態様では、前記補正条件は、前記複数回のサブ走査の中で、前記ステアリング角度が中央値付近であるサブ走査に基づくサブフレーム強調量マップと、前記ステアリング角度が中央値付近であるサブ走査以外のサブ走査に基づくサブフレーム強調量マップのうち、前記ステアリング角度が所定値である少なくとも１のサブ走査に基づくサブフレーム強調量マップとを合成するという条件である構成であってもよい。
【００４１】
また、別の態様では、前記補正条件は、前記ステアリング角度が中央値付近であるサブ走査以外のサブ走査に基づくサブフレーム強調量マップのうち、前記ステアリング角度が所定値である少なくとも１のサブ走査に基づくサブフレーム強調量マップを、フレーム強調量マップにするという条件である構成であってもよい。
また、別の態様では、前記強調受信信号生成ステップは、前記各サブフレーム受信信号に含まれる各画素領域の受信信号に、前記各サブフレーム強調量マップに含まれる各画素領域の受信信号に対する強調量を画素領域毎に反映させて各サブフレームの強調済受信信号を生成するサブステップと、前記各サブフレームの強調済受信信号を平均化して前記フレームの強調済受信信号を生成するサブステップとを有する構成であってもよい。
【００４２】
また、別の態様では、前記強調受信信号生成ステップは、前記各サブフレーム受信信号に含まれる各画素領域の受信信号に、前記各サブフレーム強調量マップに含まれる各画素領域の受信信号に対する強調量を画素領域毎に反映させて各サブフレームの強調済受信信号を生成するサブステップと、前記各サブフレームの強調済受信信号を、当該サブフレーム受信信号を取得したときの前記ステアリング角度に関連した補正情報に基づき合成して前記フレームの強調済受信信号を生成するサブステップとを有する構成であってもよい。
【００４３】
また、別の態様では、前記画素領域の受信信号から算出される特性値は、前記画素領域の受信信号と、当該画素領域の受信信号が取得されたサブ走査とステアリング角度が同じ前記サブ走査より前のサブ走査により取得された同一画素領域の受信信号との差分であり、当該差分が大きいほど前記強調量が大きい構成であってもよい。
また、別の態様では、前記画素領域の受信信号から算出される特性値は、前記画素領域の受信信号と前記画素領域周囲の画素領域の受信信号との差分であり、当該差分が大きいほど前記強調量が大きい構成であってもよい。
【００４４】
また、別の態様では、前記被検体中の前記走査範囲には穿指針が刺入されており
前記フレーム強調量マップには、前記フレーム受信信号中の穿指針を示す受信信号の部分に強調量がマッピングされている構成であってもよい。
また、別の態様では、前記フレーム受信信号を強調するサブステップでは、前記フレーム受信信号における前記フレーム強調量マップにおいて強調量がマッピングされている部分の受信信号が示す輝度を増加する構成であってもよい。
【００４５】
また、別の態様では、前記フレーム受信信号を強調するサブステップでは、前記フレーム受信信号における前記フレーム強調量マップにおいて強調量がマッピングされている部分の受信信号が示す色を変更する構成であってもよい。
また、別の態様では、前記受信信号は、超音波探触子を介して前記被検体から取得した反射超音波に基づき生成された音響線信号、又は当該音響線信号に基づき直交座標系に変換されたＢモード画像信号の何れか一方である構成であってもよい。
【００４６】
また、別の態様では、前記受信信号は、Ｂモード画像信号、又は音響線信号の何れかである構成であってもよい。
また、別の態様では、上記超音波画像処理方法をコンピュータに実行させるプログラムが記録されたコンピュータ読み取り可能な非一時的な記録媒体であってもよい。
また、本実施の形態に係る超音波診断装置は、複数のステアリング角度の超音波ビームによりなされ各々被検体内における走査範囲が異なる複数回のサブ走査から構成される超音波走査により、超音波探触子を介して前記被検体から取得した複数のサブフレーム受信信号を合成してフレーム受信信号を生成する超音波診断装置であって、前記複数のサブフレーム受信信号を取得する受信信号取得部と、前記複数のサブフレーム受信信号に含まれる１又は複数の画素からなる画素領域の受信信号から算出した特性値に基づき、前記画素領域の受信信号に対する強調量を算出して、前記複数のサブフレーム受信信号に対する複数のサブフレーム強調量マップを作成するサブフレーム強調量マップ作成部と、前記複数のサブフレーム強調量マップのうち１以上のサブフレーム強調量マップに含まれる各画素領域の受信信号に対する強調量に基づいて、前記複数のサブフレーム受信信号に含まれる各画素領域の受信信号を前記画素領域を基準に合成しフレームの強調済受信信号を生成する強調受信信号生成部とを備えたことを特徴とする。
【００４７】
また、別の態様では、前記強調受信信号生成部は、前記複数のサブフレーム受信信号に対するサブフレーム強調量マップを平均化することによりフレーム強調量マップを作成するフレーム強調量マップ合成部と、前記複数のサブフレーム受信信号を合成することによりフレーム受信信号を生成する受信信号合成部と、前記フレーム受信信号に含まれる各画素領域の受信信号に、前記フレーム強調量マップに含まれる各画素領域の受信信号に対する強調量を、画素領域毎に反映させて前記フレーム受信信号を強調する受信信号強調部とを備えた構成であってもよい。
【００４８】
また、別の態様では、前記強調受信信号生成部は、前記複数のサブフレーム受信信号に対するサブフレーム強調量マップを、当該サブフレーム受信信号を取得したときの前記ステアリング角度に関連する補正条件に基づき合成することによりフレーム強調量マップを作成するフレーム強調量マップ合成部と、前記複数のサブフレーム受信信号を合成することによりフレーム受信信号を生成する受信信号合成部と、前記フレーム受信信号に含まれる各画素領域の受信信号に、前記フレーム強調量マップに含まれる各画素領域の受信信号に対する強調量を、画素領域毎に反映させて前記フレーム受信信号を強調する受信信号強調部とを備えた構成であってもよい。
【００４９】
≪実施の形態１≫
以下、実施の形態１に係る超音波診断装置について、図面を参照しながら説明する。
＜全体構成＞
１．超音波診断装置１０
図１は、実施の形態１に係る超音波診断装置１０の機能ブロック図である。超音波診断装置１０は、超音波送受信部２、送受信制御部３、Ｂモード画像生成部４、Ｂモード画像処理部５、強調処理部６、及び表示制御部７から構成される。また、超音波診断装置１０の超音波送受信部２には超音波探触子１が、表示制御部７には表示器８が各々接続可能に構成されている。図１は超音波診断装置１０に、超音波探触子１、表示器８が接続された状態を示している。
【００５０】
超音波診断装置１０では、図２０（ａ）に示すように従来の超音波診断装置１０Ｘと同様に、超音波探触子１の振動子列から、複数の方向に向けてステアリング角度を複数段階に振って超音波ビームの送受信が順次なされる空間コンパウンド法による送受信が行われる。本実施の形態では、一例として、図２０（ａ）に示した従来の超音波診断装置１０Ｘと同様に、３方向に向けてステアリング角度を３段階に振って超音波ビームの送受信が順次なされる構成とした。ここでも、ステアリング角度を３段階に振ってされる超音波ビームの送受信は、図２０（ｂ）に示した例と同様に、「サブ走査１」、「サブ走査２」、「サブ走査３」（３方向を区別しない場合には単に「サブ走査」）とし、サブ走査１から３に基づき１回の超音波走査が構成される。
【００５１】
次に、超音波診断装置１０に外部から接続される各要素について説明する。
２．超音波探触子１
超音波探触子１は、例えば一次元方向（以下、「振動子配列方向」とする）に配列された複数の振動子（不図示）を有する。超音波探触子１は、後述の超音波送受信部２から供給されたパルス状の電気信号（以下、「送信超音波信号」とする）をパルス状の超音波に変換する。超音波探触子１は、超音波探触子１の振動子側外表面を被検体の皮膚表面に接触させた状態で、複数の振動子から発せられる複数の超音波からなる超音波ビームを測定対象に向けて送信する。そして、超音波探触子１は、被検体からの複数の反射超音波を受信し、複数の振動子によりこれら反射超音波をそれぞれ電気信号（以下、「超音波信号」とする）に変換し、超音波信号を超音波送受信部２に供給する。
【００５２】
なお、実施の形態１においては、一次元方向に配列された複数の振動子を有する超音波探触子１を、例示しているが、本実施の形態に用いることができる超音波探触子１はこれに限定されない。例えば、振動子を二次元方向に配列した二次元配列振動子や、一次元方向に配列された複数の振動子を機械的に揺動させて三次元の断層画像を取得する揺動型超音波探触子を用いてもよく、測定に応じて適宜使い分けることができる。
【００５３】
また、超音波探触子１は、後述する超音波送受信部２の一部の機能を超音波探触子側に設けてもよい。例えば、超音波送受信部２から出力された送信電気信号を生成するための制御信号（以下、「送信制御信号」とする）に基づき超音波探触子１内で送信電気信号を生成し、この送信電気信号を超音波に変換する機能を超音波探触子側に設けてもよい。また、受信した反射超音波を受信電気信号に変換した後、この受信電気信号に基づき後述の受信信号を生成する機能を超音波探触子側に設けてもよい。
【００５４】
３．表示器８
表示器８は、いわゆる画像表示用の表示装置であって、後述する表示制御部７からの画像出力を表示画面に表示する。表示器８には、液晶ディスプレイ、ＣＲＴ、有機ＥＬディスプレイ等を用いることができる。
＜各部構成＞
次に、超音波診断装置１０に含まれる各ブロックの構成について説明する。
【００５５】
１．超音波送受信部２
超音波送受信部２は、超音波探触子１と接続される。超音波送受信部２は、送受信制御部３からの送信制御信号に基づき、超音波探触子１に超音波ビームを送信させるためのパルス状の送信超音波信号を供給する送信処理を行う。具体的には、超音波送受信部２は、例えば、クロック発生回路、パルス発生回路、遅延回路を備えている。クロック発生回路は、超音波ビームの送信タイミングを決定するクロック信号を発生させる回路である。パルス発生回路は、各振動子を駆動するパルス信号を発生させるための回路である。遅延回路は、超音波ビームの送信タイミングを各振動子毎に遅延時間を設定し、遅延時間だけ超音波ビームの送信を遅延させて超音波ビームのフォーカシングやステアリングを行うための回路である。
【００５６】
本実施の形態では、送受信制御部３から発せられるサブ走査の方向を指示する送信制御信号に基づき、超音波送受信部２は遅延回路により、サブ走査における超音波ビームの出射方向を決めるステアリング角度を制御する送信遅延プロファイル信号を生成する。送信遅延プロファイル信号とは、送信超音波信号が形成する超音波ビームに対応した振動子列を構成する各振動子を駆動するタイミングを示す送信遅延プロファイル情報のことである。サブ走査におけるステアリング角度に対応して定められた送信遅延プロファイル信号が示すタイミングで振動子列を構成する各振動子を駆動することにより、当該ステアリング角度にて超音波ビームが発せられる。
【００５７】
また、超音波送受信部２は、さらに、超音波探触子１から取得した反射超音波に基づく超音波信号を増幅した後ＡＤ変換したＲＦ信号を整相加算して深さ方向に連なった音響線信号を生成する。そして、サブ走査の順に時系列に音響線信号をＢモード画像生成部４に出力する受信処理を行う。
ＲＦ信号とは、例えば、振動子配列方向と超音波の送信方向であって振動子配列と垂直な方向からなる複数の信号からなり、各信号は反射超音波の振幅から変換された電気信号をＡ／Ｄ変換したデジタル信号である。
【００５８】
音響線信号とは、整相加算処理後のＲＦ信号からなる深さ方向に連続したデータのことである。深さ方向とは被検者の体表から体内へ送信超音波信号の進む方向である。音響線信号は、例えば、振動子配列方向と超音波の送信方向であって、振動子配列と垂直な方向からなる複数の音響線信号からなるフレームを構築する。１回のサブ走査により取得された音響線信号をサブフレーム音響線信号と称呼する。
【００５９】
超音波送受信部２は、送信処理および受信処理を繰り返し連続して行う。
２．送受信制御部３
送受信制御部３は、送信制御信号及び受信制御信号を生成し、超音波送受信部２へ出力する。本実施の形態では、送信制御信号及び受信制御信号では、送受信のタイミング等に加え、各サブ走査における超音波ビームのステアリング角度を示す情報が超音波送受信部２に対し出力される。
【００６０】
３．Ｂモード画像生成部４
Ｂモード画像生成部４は、サブフレーム内のそれぞれの音響線信号を、その強度に対応した輝度信号へと変換し、その輝度信号を直交座標系に座標変換を施すことでサブフレームＢモード画像信号を生成する。Ｂモード画像生成部４はこの処理をサブフレーム毎に逐次行い、生成した断層画像をＢモード画像処理部５のＢモード画像取得部５１に出力する。具体的には、Ｂモード画像生成部４は、音響線信号に対して包絡線検波、対数圧縮などの処理を実施して輝度変換し、その輝度信号を直交座標系に座標変換を施すことでＢモード画像信号を生成する。すなわち、Ｂモード画像信号は、超音波受信信号の強さを輝度によって表したものである。
【００６１】
Ｂモード画像生成部４にて生成されたサブフレームＢモード画像信号は、サブ走査が行われる毎に時系列にＢモード画像取得部５１に送信される。
４．Ｂモード画像処理部５
Ｂモード画像処理部５は、Ｂモード画像取得部５１、Ｂモード画像合成部５２から構成されている。
【００６２】
（４．１）Ｂモード画像取得部５１
Ｂモード画像取得部５１は、Ｂモード画像生成部４にて生成されたＢモード画像信号を入力として、サブ走査が行われる毎に時系列に送信されるサブフレームＢモード画像信号を記憶するバッファである。
（４．２）Ｂモード画像合成部５２
Ｂモード画像合成部５２は、Ｂモード画像取得部５１から各サブ走査により取得されたサブフレームＢモード画像信号を読み出し、図２０（ｃ）に示した従来の超音波診断装置１０Ｘと同様に、被検体内の同一位置から取得されたＢモード画像信号が重なる部分を加算平均する方法により合成して、空間コンパウンドがなされたフレームＢモード画像信号を生成する。空間コンパウンドがなされたフレームＢモード画像信号は、強調処理部６に出力される。
【００６３】
ここで、「フレーム」とは、１枚の断層画像を構築する上で必要な１つのまとまった信号の単位をさす。本実施の形態では、フレームとは、１枚の断層画像を構築する上で必要な１つのまとまった音響線信号の単位、またはこの１つのまとまった音響線信号に基づきＢモード画像を構築するために処理されたＢモード画像信号の単位、あるいは、この一つのまとまったＢモード画像信号に基づき構築された１枚のＢモード画像の単位のことをさす。
【００６４】
また、フレームとサブフレームとの関係では、異なるステアリング角度のサブ走査から取得された１のサブフレームＢモード画像信号が、空間コンパウンド法により全てのステアリング角度について合成されて１のフレームＢモード画像信号を構成する。
また、本明細書においては、Ｂモード画像信号、又はＢモード画像信号を生成するベースとなる音響線信号を受信信号（超音波受信信号）と総称する。
【００６５】
５．強調処理部６
強調処理部６は、サブフレーム強調量マップ作成部６２、Ｂモード画像強調部６３、サブフレーム強調量マップバッファ６４、及びフレーム強調量マップ合成部６５から構成されている。
（５．１）サブフレーム強調量マップ作成部６２
サブフレーム強調量マップ作成部６２は、サブフレームＢモード画像信号のフレーム間差分によりサブフレームＢモード画像信号における被写体の動き量を検出し、動き量が大きいほどそのＢモード画像信号に対する強調量が大きくなるようなサブフレーム強調量マップを作成し、サブフレーム強調量マップバッファ６４に出力する。
【００６６】
具体的には、サブフレーム強調量マップ作成部６２は、Ｂモード画像取得部５１から、現サブフレームと現サブフレームより前に取得されたサブフレームとを含む少なくとも２のサブフレームＢモード画像信号を読み出しフレーム間差分を行う。そのフレーム間差分が大きいほど、現サブフレームＢモード画像信号の同一画素領域に対する強調量が大きくなるようにフレーム強調量マップを作成する。
【００６７】
サブフレーム強調量マップ作成部６２にて生成されたサブフレーム強調量マップは、サブ走査が行われる毎に時系列にサブフレーム強調量マップバッファ６４に送信される。
（５．２）サブフレーム強調量マップバッファ６４
サブフレーム強調量マップバッファ６４は、サブフレーム強調量マップ作成部６２にて生成されたサブフレーム強調量マップを入力として、サブ走査が行われる毎に時系列に送信されるサブフレーム強調量マップを記憶する。
【００６８】
（５．３）フレーム強調量マップ合成部６５
フレーム強調量マップ合成部６５は、フレームを構成するサブフレーム強調量マップを空間コンパウンド法により合成してフレーム強調量マップを作成する。具体的には、フレーム強調量マップ合成部６５は、サブフレーム強調量マップバッファ６４から各サブ走査により取得されたサブフレーム強調量マップを取得し、サブフレーム強調量マップが重なる部分を加算平均する方法により合成してフレーム強調量マップを生成し、Ｂモード画像強調部６３に出力する。このフレーム強調量マップの生成は、超音波走査が行われるたびに行われる。
【００６９】
（５．４）Ｂモード画像強調部６３
Ｂモード画像強調部６３は、Ｂモード画像合成部５２からフレームＢモード画像信号を取得し、フレーム強調量マップ合成部６５からフレーム強調量マップを取得し、フレームＢモード画像信号に対しフレーム強調量マップに基づいて強調処理を施す。このとき、Ｂモード画像強調部６３は、強調量が大きいほど対象画素領域の受信信号が示す輝度が増幅されるようＢモード画像信号に対し強調処理を施す。強調された強調済フレームＢモード画像信号は表示制御部７に出力される。
【００７０】
６．表示制御部７
表示制御部７は、外部接続される表示器８に空間コンパウンドがなされた強調済フレームＢモード画像信号に基づきＢモード画像を表示する。
上記構成において、Ｂモード画像合成部５２、フレーム強調量マップ合成部６５、及び、Ｂモード画像強調部６３は、強調Ｂモード画像生成部Ｓを構成する。
【００７１】
＜動作について＞
以上の構成からなる超音波診断装置１０の動作について説明する。図２は、実施の形態１に係る超音波診断装置１０の動作を示すフローチャートである。
１．ステップＳ２０１
ステップＳ２０１では、所定ステアリング角度に送受信して得た複数（ｎ）のサブフレームＢモード画像信号を取得する。具体的には、超音波探触子１を被検体皮膚表面に配置し、超音波送受信部２が送信処理行うことで超音波探触子１から超音波を被検体内に送信し、超音波探触子１を介して被検体からの反射超音波に基づき受信処理を行うことで音響線信号を生成する。この送信処理および受信処理を超音波探触子１の振動子数等に応じた回数だけ繰り返すサブ走査を行うことで、複数の音響線信号からなる１つのサブフレームを構築する。そして、サブ走査が行われる毎に構築したサブフレームの音響線信号をＢモード画像生成部４に出力する。Ｂモード画像生成部４は、サブフレームの音響線信号を入力として、サブフレームＢモード画像信号を生成しサブ走査が行われる毎に時系列にＢモード画像取得部５１へ出力する。
【００７２】
図３は、超音波診断装置１０の動作を示す説明図である。図３に示すように、上段から順に、超音波走査１の期間において、サブ走査１、２、３が順次行われると、サブフレームＢモード画像信号１、２、３が順に取得される。また、次の、超音波走査２の期間において、サブ走査４、５、６が順次行われると、サブフレームＢモード画像信号４、５、６が順に取得される。
【００７３】
２．ステップＳ２０２
ステップＳ２０２では、複数（ｎ）のサブフレームＢモード画像信号からサブフレーム強調量マップを作成する。サブフレーム強調量マップは、サブフレームＢモード画像信号のフレーム間差分によりサブフレームＢモード画像信号における被写体の動き量を検出し、動き量が大きいほどそのＢモード画像信号に対する強調量が大きくなる条件で作成される。
【００７４】
具体的には、サブフレーム強調量マップ作成部６２は、Ｂモード画像信号取得部５１から、現サブフレームと現サブフレームより前に取得されたサブフレームを含む少なくとも２のサブフレームＢモード画像信号を読み出しフレーム間差分を行う。ここで、現サブフレームより前に取得されたサブフレームＢモード画像信号とは、現サブフレームＢモード画像信号より前に取得されており、現サブフレームＢモード画像信号と同じステアリング角度のサブ走査により取得されたサブフレームＢモード画像信号をさす。フレーム間差分とは、現サブフレームＢモード画像信号と現サブフレームより前に取得されたサブフレームＢモード画像信号との間の、被検体の同一位置から取得された１又は複数の画素からなる画素領域同士の差分である。その差分が大きいほど現サブフレームのサブフレームＢモード画像信号の同一画素領域に対する強調量が大きくなる条件でサブフレーム強調量マップは作成される。
【００７５】
図３に示す例では、上段から順に、超音波走査２の期間におけるサブ走査４が行われるとサブフレームＢモード画像信号４と、超音波走査１の期間におけるサブ走査１により取得されたサブフレームＢモード画像信号１との間でフレーム間差分（図３中において「４−１」と表記する）が行われる。当該フレーム間差分に基づいて、サブフレームＢモード画像信号４のサブフレームＢモード画像信号１に対する動き量が算出され、動き量が大きいほどサブフレームＢモード画像信号４の同一画素領域に対する強調量が大きくなる条件でサブフレーム強調量マップ（図３中及び以後、「サブフレーム強調量マップ（４−１）」と表記する）が作成される。
【００７６】
同様に、サブ走査５が行われるとサブフレームＢモード画像信号５と、超音波走査１におけるサブ走査２により取得されたサブフレームＢモード画像信号２との間でフレーム間差分が行われ、当該フレーム間差分に基づいてサブフレームＢモード画像信号５に対するサブフレーム強調量マップ（５−２）が作成される。
さらに、サブ走査６が行われるとサブフレームＢモード画像信号６と、超音波走査１におけるサブ走査３により取得されたサブフレームＢモード画像信号３との間でフレーム間差分が行われ、当該フレーム間差分に基づいてサブフレームＢモード画像信号６に対するサブフレーム強調量マップ（６−３）が作成される。
【００７７】
サブフレーム強調量マップは、サブフレーム強調量マップバッファ６４に出力される。
なお、超音波走査１の期間におけるサブ走査では、そのサブ走査より前に取得されたサブフレームが存在しないためにフレーム間差分を行えず、サブフレーム強調量マップは作成されない。
３．ステップＳ２０３
ステップＳ２０３では、全ステアリング角度にかかる複数（ｎ）のサブフレームＢモード画像信号からサブフレーム強調量マップの生成が完了したか否かを判定する。全ステアリング角度について完了した場合には、次のステップに進む。
【００７８】
４．強調Ｂモード画像生成ステップＳ２０４
強調Ｂモード画像生成ステップＳ２０４は、サブステップＳ２０４１、Ｓ２０４２、Ｓ２０４３から構成される。
（４．１）サブステップＳ２０４１
サブステップＳ２０４１では、各サブフレーム強調量マップを空間コンパウンドしてフレーム強調量マップを作成する。具体的には、フレーム強調量マップ合成部６５は、サブフレーム強調量マップバッファ６４から全ステアリング角度にかかる複数（ｎ）のサブフレーム強調量マップを取得し、サブフレーム強調量マップが重なる部分を加算平均する方法により合成してフレーム強調量マップを生成し、Ｂモード画像強調部６３に出力する。このフレーム強調量マップの生成は、超音波走査が行われるたびに１回行われる。
【００７９】
図３に示す例では、超音波走査２の期間におけるサブ走査６が行われると３のサブフレーム強調量マップ（４−１）、（５−２）、（６−３）が合成されたフレーム強調量マップ（図３中及び以後、「フレーム強調量マップ（４＋５＋６−１−２−３）」と表記する）が生成される。以下、下段に向けて順に、超音波走査３、４が行われる毎に、フレーム強調量マップが作成される。
【００８０】
（４．２）．サブステップＳ２０４２
サブステップＳ２０４２では、各サブフレームＢモード画像信号を空間コンパウンドしてフレーム受信信号を生成する。具体的には、Ｂモード画像合成部５２は、Ｂモード画像取得部５１からサブフレームＢモード画像信号を取得し、被検体内の同一位置から取得されたＢモード画像信号が重なる部分を加算平均する方法により合成してフレームＢモード画像信号を生成する。フレームＢモード画像信号は、強調処理部６に出力される。
【００８１】
図３に示す例では、超音波走査２の期間におけるサブ走査６が行われると３のサブフレームＢモード画像信号４、５、６が合成されフレームＢモード画像信号（４＋５＋６）が生成される。以下、下段に向けて順に、超音波走査３、４が行われる毎に、フレーム強調量マップが作成される。
（４．３）サブステップＳ２０４３
サブステップＳ２０４３では、フレームＢモード画像信号をフレーム強調量マップに基づいて強調する。具体的には、Ｂモード画像強調部６３は、Ｂモード画像合成部５２からフレームＢモード画像信号を取得し、フレーム強調量マップ合成部６５からフレーム強調量マップを取得し、フレームＢモード画像信号に対しフレーム強調量マップに基づいて強調処理を施す。このとき、Ｂモード画像強調部６３は、強調量が大きいほど対象画素領域の受信信号が示す輝度が増幅されるようＢモード画像信号に対し強調処理を施す。例えば、Ｂモード画像強調部６３は、フレーム受信信号に含まれる各画素領域の受信信号に、フレーム強調量マップに含まれる各画素領域の受信信号に対する強調量を乗算又は加算することにより、画素領域毎に反映させてフレーム受信信号を強調してもよい。
【００８２】
図３に示す例では、超音波走査２の期間におけるサブ走査６が行われると３のフレームＢモード画像信号（４＋５＋６）が、フレーム強調量マップ（４＋５＋６−１−２−３）に基づいて強調される。以下、下段に向けて順に、超音波走査３、４が行われる毎に、強調済フレームＢモード画像信号（４＋５＋６）×（ｋ）が作成される。
以上の、サブステップＳ２０４１、Ｓ２０４２、Ｓ２０４３が強調Ｂモード画像生成ステップＳ２０４を構成する。
【００８３】
強調された強調済フレームＢモード画像信号が表示制御部７に出力され、表示器８に強調済フレームＢモード画像信号に基づくＢモード画像が表示される。そして、超音波走査が行われる毎にＢモード画像を更新して表示する処理が行われる。
＜穿刺針の視認性について＞
次に、実施の形態１に係る超音波診断装置１０における穿刺針の視認性向上の効果について、図面を用いて説明する。図４は、実施の形態１に係る超音波診断装置１０における穿刺針強調動作を説明するための模式図である。図４（ａ）は、図３におけるサブ走査１、２、３により取得したサブフレームＢモード画像信号１、２、３と、それらを合成して生成したフレームＢモード画像信号（１＋２＋３）を模式図で示したものである。（ｂ）は、同様に、図３におけるサブ走査４、５、６により取得したサブフレームＢモード画像信号４、５、６と、それらを合成したフレームＢモード画像信号（４＋５＋６）を示したものである。ここでも、図２１中矢印で示した例と同様に、穿刺針（図中Ａで示される部分）は紙面右側上方から左下方向に向けて刺入されている。
【００８４】
そのため、サブ走査１では、超音波ビーム照射方向と穿刺針とのなす角度が小さく、サブフレームＢモード画像信号１中において穿刺針の視認度は低く殆ど目立たない。一方、サブ走査２及びサブ走査３に基づくサブフレームＢモード画像信号２、３では、穿刺針は明確に表示される。そして、サブフレームＢモード画像信号１、２、３を、加算平均により合成したフレームＢモード画像信号では、穿刺針の視認度はサブフレームＢモード画像信号２及び３に比べて相対的に低い。同様にフレームＢモード画像信号（４＋５＋６）においても、穿刺針の視認度はサブフレームＢモード画像信号５及び６に比べて相対的に低い。
【００８５】
図４（ｃ）は、図３におけるサブフレームＢモード画像信号４、５、６とサブフレームＢモード画像信号１、２、３とをフレーム間差分することにより算出した両者間の動き量をマッピングした模式図である。図４（ｄ）は、その動き量に基づき、動き量が大きいときに強調量が大きくなるような条件で算出したサブフレーム強調量マップと、それらを合成したフレーム強調量マップを示した模式図である。
【００８６】
サブフレームＢモード画像信号４及び１は、共に、穿刺針と超音波ビームのなす角度が小さい条件で取得されており穿刺針が明瞭に示されておらず穿刺針は殆ど目立たない。そのため、サブフレームＢモード画像信号４及び１のフレーム間差分から導いた動き量によっては穿刺針は殆ど検出されず、当該フレーム間差分に基づき作成したサブフレーム強調量マップ（４−１）における穿刺針の強調量Ｂも極めて小さい。
【００８７】
一方、サブフレームＢモード画像信号５及び２のフレーム間差分から導いた動き量によって穿刺針の位置を検出し、当該フレーム間差分に基づき作成したサブフレーム強調量マップ（５−２）では、穿刺針の強調量Ｂは比較的大きい。サブフレームＢモード画像信号６及び３から作成したサブフレーム強調量マップ（６−３）についても同様である。
そのため、３つのサブフレーム強調量マップを加算平均により合成したフレーム強調量マップ（４＋５＋６−１−２−３）では、穿刺針の強調量Ｂはサブフレーム強調量マップ（５−２）及び（６−３）に比べて低下するが、サブフレーム強調量マップ（４−１）よりは大きいものとなる。その結果、図４（ｅ）に示すように、強調後のフレームＢモード画像信号（４＋５＋６）における穿刺針の強調度合いは、各サブフレーム強調量マップを平均したレベルとなる。
【００８８】
発明者らは、実施の形態１に係る超音波診断装置１０による穿刺針強調の効果についてＢモード画像により評価を行った。図５は、実施の形態１に係る超音波診断装置１０により取得された穿刺針が強調されたＢモード画像である。図５に示すように、強調されたフレームＢモード画像信号において、穿刺針Ａは、特にその先端が強調されており、十分に視認できるものであった。
【００８９】
上述のとおり、発明者らが着想段階で想定した超音波診断装置１０Ｙにおける空間コンパウンド法により合成したＢモード画像での穿刺針強調処理では、フレームＢモード画像信号間のフレーム間差分により作成したフレーム強調量マップを用いる場合に、サブ走査のステアリング角度が変わるサイクル毎に穿刺針の強調量が極めて小さくなる場合がある。図６は、比較例に係る発明者らが想定した上述の超音波診断装置１０Ｙにより取得されたＢモード画像である。フレームＢモード画像信号上における穿刺針Ａは殆ど認識することができない。
【００９０】
これに対し、本実施の形態に係る超音波診断装置１０では、図５に示すように、空間コンパウンド法におけるサブ走査の何れのステアリング角度においても、生成された強調済フレームＢモード画像信号上における穿刺針Ａは先端が強調されており十分に視認できるものであった。
＜小  括＞
以上、説明したとおり、実施の形態１に係る超音波診断装置では、異なるステアリング角度の超音波ビームによりなされ各々被検体内における走査範囲が異なる複数回のサブ走査から構成される超音波走査により、超音波探触子を介して被検体から取得した複数のサブフレーム受信信号を合成して１フレーム受信信号を生成する超音波診断装置であって、複数のサブフレーム受信信号に含まれる１又は複数の画素からなる画素領域の受信信号から算出した特性値に基づき、画素領域の受信信号に対する強調量を算出して、複数のサブフレーム受信信号に対する複数のサブフレーム強調量マップ作成部と、複数のサブフレーム強調量マップのうち１以上のサブフレーム強調量マップに含まれる各画素領域の受信信号に対する強調量に基づいて、複数のサブフレーム受信信号に含まれる各画素領域の受信信号を画素領域を基準に合成し１フレームの強調済受信信号生成部とを備えた構成を採る。
【００９１】
係る構成により、超音波診断装置１０では、空間コンパウンド法による超音波画像診断において穿刺針の視認性を向上することができ、より使い勝手のよい超音波画像処理方法及びそれを用いた超音波診断装置を提供することができる。
＜変形例１＞
実施の形態１では、フレーム強調量マップ合成部６５は、複数のサブフレーム受信信号に対するサブフレーム強調量マップを加算平均することによりフレーム強調量マップを作成する構成とした。しかしながら、フレーム強調量マップ合成部は、複数のサブフレーム受信信号に対するサブフレーム強調量マップを合成してフレーム強調量マップを作成するものであればよく、フレーム強調量マップの合成方法は適宜変更することができる。
【００９２】
本変形例に係る超音波診断装置では、複数のサブフレーム受信信号に対するサブフレーム強調量マップを加算平均したのち、さらに、強調量が所定値で上限値に達する又は近付くよう強調量を増幅することに特徴がある。ここで、「強調量が所定値で上限値に近付く」とは、強調量が所定値付近で上限値に漸近することをさす。
図７は、実施の形態１の変形例１に係る超音波診断装置における穿刺針強調動作を説明するための模式図である。変形例１に係る超音波診断装置のフレーム強調量マップ合成部６５では、図７に示すように、入力となる空間コンパウンド後の強調量に対し所定の増幅処理を行いＢモード画像強調部６３に出力する。そして、強調量が上限値に近付いた場合には、入力となる空間コンパウンド後の強調量がさらに大きい場合でも上限値を増幅処理後の強調量として出力する。なお、上限値付近の処理は、滑らかに上限値に近づける方法であれば、例えば、対数変換等、他の方法を用いてもよい。
【００９３】
図８は、実施の形態１の変形例１に係る超音波診断装置により取得された穿刺針が強調されたＢモード画像である。図５に示した加算平均処理に係る実施の形態１によるＢモード画像に比べて、変形例１では、穿刺針先端の強調量が増加されより明瞭に表示されていることがわかる。
かかる構成により、複数のサブフレーム強調量マップの一部が穿刺針の強調量が小さく作成されている場合においても、フレーム強調量マップの強調量に対し所定の増幅処理を施すことができ、フレーム強調量マップにおける穿刺針の強調量を増加することができる。複数のサブフレームＢモード画像信号の一部に穿刺針が明瞭に示されていない場合等に、フレーム強調量マップの強調量を増幅するうえで有効となる。
【００９４】
上記変形例１において、上述した強調量が上限値に達する又は近付く所定値は合成されるサブフレームの数に応じて定められ構成としてもよい。また、合成されるサブフレームの数が多いほど増加される構成としてもよい。合成されるサブフレームの数に応じて、穿刺針の強調量が小さく作成されているサブフレーム強調量マップの全サブフレーム強調量マップに対する比率が定まり、この比率に基づき上記所定値を定めることにより強調効果を高めることができるからである。
【００９５】
≪実施の形態２≫
実施の形態１では、フレーム強調量マップ合成部６５は、複数のサブフレーム受信信号に対するサブフレーム強調量マップのうち、全てのサブフレーム強調量マップを均等に重み付して合成することによりフレーム強調量マップを作成する構成とした。実施の形態２では、フレーム強調量マップ合成部６５は、サブフレーム強調量マップを、当該サブフレーム受信信号を取得したときのサブ走査におけるステアリング角度に関連する補正条件に基づいて合成してフレーム強調量マップを作成する構成とした点で、実施の形態１と相違する。フレーム強調量マップ合成部６５以外の構成については、実施の形態１に示した各要素と同じであり説明を省略する。
【００９６】
＜構  成＞
１．第１の方法
図９は、実施の形態２に係る超音波診断装置における第１の方法によるフレーム強調量マップ合成方法を示す模式図である。図９に示すように、第１の方法では、フレーム強調量マップ合成部６５は、複数のサブフレーム強調量マップのうち、強調量の最大値を含むサブフレーム強調量マップをフレーム強調量マップとする補正条件に基づきサブフレーム強調量マップを合成してフレーム強調量マップを作成する。強調量の最大値とは、１又は複数の画素から構成される画素領域に対する強調量をさす。すなわち、フレーム強調量マップ合成部６５は、この画素領域に対する強調量Ｂが複数のサブフレーム強調量マップの中で最大である強調量Ｂを含むサブフレーム強調量マップをフレーム強調量マップとして選択する。係る構成により、穿刺針の強調量Ｂが小さいサブフレーム強調量マップの影響を排除し、穿刺針の強調量Ｂが大きいサブフレーム強調量マップのみからフレーム強調量マップを作成しフレーム強調量マップの強調量を高めることができる。
【００９７】
図１０は、第１の方法により取得された穿刺針が強調されたＢモード画像である。第１の方法では最大値を選択したことにより、図５に示した実施の形態１の例に比べて穿刺針先端がより明瞭に表示されていることがわかる。
２．第２の方法
図１１は、第２の方法によるフレーム強調量マップ合成方法を示す模式図である。図１１に示すように、第２の方法では、フレーム強調量マップ合成部６５は、複数のサブフレーム強調量マップのうち、複数回のサブ走査の中でステアリング角度が中央値付近であるサブ走査に基づくサブフレーム強調量マップをフレーム強調量マップにするという補正条件に基づいてサブフレーム強調量マップ合成してフレーム強調量マップを作成する。サブ走査の中でステアリング角度が中央値付近であるサブ走査により取得されたサブフレームＢモード画像では穿刺針の明瞭度はステアリング角度に対して平均的に表示されている場合が多い。したがって、係る構成により、穿刺針の強調量Ｂが平均的であるサブフレーム強調量マップからフレーム強調量マップを作成しフレーム強調量マップの強調量を平均的に高めることができる。
【００９８】
図１２は、第２の方法により取得された穿刺針が強調されたＢモード画像である。第１の方法より明瞭度は低いものの、図５に示した実施の形態１の例に比べて穿刺針先端がより明瞭に表示されていることがわかる。
３．第３の方法
図１３は、第３の方法によるフレーム強調量マップ合成方法を示す模式図である。図１３に示すように、第３の方法では、フレーム強調量マップ合成部６５は、複数回のサブ走査の中でステアリング角度が中央値付近であるサブ走査に基づくサブフレーム強調量マップの重み付けを、その他のサブフレーム強調量マップの重み付よりも大きくして、サブフレーム強調量マップを重み付け加算又は乗算により反映するという補正条件に基づきフレーム強調量マップを作成する。上述のとおり、サブ走査の中でステアリング角度が中央値付近のサブ走査により取得されたサブフレームＢモード画像では穿刺針の明瞭度はステアリング角度に対して平均的に表示されている場合が多い。そのため、中央値付近のサブ走査により取得されたサブフレーム強調量マップの重み付けを増して、さらに、ステアリング角度が中央値付近以外のサブ走査により取得されたサブフレーム強調量マップの影響も考慮しつつ、フレーム強調量マップの強調量Ｂを高めることができる。
【００９９】
図１４は、第３の方法により取得された穿刺針が強調されたＢモード画像である。穿刺針の明瞭度は第２の方法と同程度であり、図５に示した実施の形態１の例に比べて穿刺針先端がより明瞭に表示されていることがわかる。
４．第４の方法
図１５は、第４の方法によるフレーム強調量マップ合成方法を示す模式図である。図１５に示すように、第４の方法では、フレーム強調量マップ合成部６５は、複数回のサブ走査の中で、ステアリング角度が中央値付近であるサブ走査に基づくサブフレーム強調量マップと、それ以外のサブフレーム強調量マップのうち、サブフレーム強調量マップに含まれる画素領域の強調量の総和が相対的に大きい少なくとも１のサブフレーム強調量マップとを合成するという補正条件に基づきフレーム強調量マップを作成する。かかる構成により、穿刺針に対する強調量の総和が相対的に大きいサブフレーム強調量マップとステアリング角度が中央値付近のサブフレーム強調量マップとからフレーム強調量マップを合成することができ、フレーム強調量マップの強調量Ｂをより確実に高めることができる。
【０１００】
尚、上記において、ステアリング角度が中央値付近であるサブ走査に基づくサブフレーム強調量マップとは合成せず、ステアリング角度が中央値付近であるサブ走査以外のサブ走査に基づくサブフレーム強調量マップのうち、サブフレーム強調量マップに含まれる画素領域の強調量の総和が相対的に大きい少なくとも１のサブフレーム強調量マップを、フレーム強調量マップにするという構成としてもよい。この場合にも、フレーム強調量マップの強調量をより確実に高めることができる。
【０１０１】
５．第５の方法
図１６は、第５の方法によるフレーム強調量マップ合成方法を示す模式図である。図１６に示すように、第５の方法では、フレーム強調量マップ合成部６５は、ステアリング角度が中央値付近であるサブ走査に基づくサブフレーム強調量マップと、それ以外のサブフレーム強調量マップのうち、ステアリング角度が所定値である少なくとも１のサブ走査に基づくサブフレーム強調量マップとを合成するという補正条件に基づきフレーム強調量マップを作成する。
【０１０２】
穿刺針は、超音波探触子に取付けられた穿刺アダプタのガイドを通して被検体に刺入される場合が多い。そのため、穿刺針の被検体への刺入方向は、超音波探触子の振動子配列方向を基準としたとき予め定められている。したがって、穿刺針と超音波ビームのなす角度が相対的に垂直に近いステアリング角度のサブ走査から取得された少なくとも１のサブフレーム強調量マップを既定することができる。このサブフレーム強調量マップを用いてフレーム強調量マップを合成することにより、簡易かつ確実にフレーム強調量マップにおける強調量を高めることができる。また、ステアリング角度が中央値付近であるサブ走査に基づくサブフレーム強調量Ｂマップと合成してフレーム強調量マップを作成することにより、より確実にフレーム強調量マップの強調量Ｂを高めることができる。
【０１０３】
尚、上記において、ステアリング角度が中央値付近であるサブ走査に基づくサブフレーム強調量マップとは合成せず、ステアリング角度が中央値付近であるサブ走査以外のサブ走査に基づくサブフレーム強調量マップのうち、ステアリング角度が所定値である少なくとも１のサブ走査に基づくサブフレーム強調量マップを、、フレーム強調量マップにするという構成としてもよい。この場合にも、フレーム強調量マップの強調量をより確実に高めることができる。
【０１０４】
＜小  括＞
以上、説明したとおり、実施の形態２に係る超音波診断装置では、フレーム強調量マップ合成部６５は、サブフレーム強調量マップを、当該サブフレーム受信信号を取得したときのサブ走査におけるステアリング角度に関連する補正条件に基づいて合成してフレーム強調量マップを作成する構成とした。係る構成により、フレーム強調量マップにおける穿刺針の強調量を高め、空間コンパウンド法による超音波画像診断において穿刺針の視認性を向上することができる。
【０１０５】
≪実施の形態３≫
実施の形態１では、複数のサブフレームＢモード画像信号に含まれる画素領域の受信信号から算出した動き量に基づき、画素領域のＢモード画像信号に対する強調量を算出して、複数のサブフレームＢモード画像信号に対する複数のサブフレーム強調量マップを作成し、フレームＢモード画像信号を強調する構成とした。
【０１０６】
しかしながら、サブフレーム強調量マップは、複数のサブフレーム受信信号に含まれる画素領域の受信信号から算出した特性値に基づき、画素領域の受信信号に対する強調量を算出して、複数のサブフレーム受信信号に対する強調量がマッピングされていればよく、フレーム強調量マップの合成方法は適宜変更することができる。
実勢の形態３に係る超音波診断装置１０Ａでは、複数のサブフレームの音響線信号に含まれる１又は複数の画素からなる画素領域の音響線信号から算出した特性値としての画素領域の受信信号と画素領域周囲の画素領域の受信信号との差分（変化量）に基づき、画素領域の音響線信号に対する強調量を算出して、複数のサブフレームの音響線信号に対する複数のサブフレーム強調量マップを作成し、フレームの音響線信号を強調する構成とした点に特徴がある。
【０１０７】
＜構  成＞
以下、超音波診断装置１０Ａの構成について説明する。図１７は、実施の形態３に係る超音波診断装置１０Ａの機能ブロック図である。超音波診断装置１０Ａは、超音波送受信部２、送受信制御部３、Ｂモード画像生成部４、音響線信号処理部５Ａ、強調処理部６Ａ、及び表示制御部７から構成される。このうち、音響線信号処理部５Ａ、強調処理部６Ａ以外の構成については、実施の形態１に係る超音波診断装置１０の各要素と同じであり説明を省略する。
【０１０８】
１．音響線信号処理部５Ａ
音響線信号処理部５Ａは、音響線信号取得部５１Ａ、音響線信号合成部５２Ａから構成されている。
音響線信号取得部５１Ａは、超音波送受信部２にて生成された音響線信号を入力として、サブ走査が行われる毎に時系列に送信されるサブフレーム音響線信号を記憶するバッファである。
【０１０９】
音響線信号合成部５２Ａは、音響線信号取得部５１Ａから各サブ走査により取得されたサブフレーム音響線信号を読み出し、超音波診断装置１０と同様に、被検体内の同一位置から取得された音響線信号が重なる部分を加算平均する方法により合成してフレーム音響線信号を生成する。フレーム音響線信号は、強調処理部６Ａに出力される。
ここで、フレームとサブフレームとの関係では、異なるステアリング角度のサブ走査から取得された１のサブフレーム音響線信号が、空間コンパウンド法により全てのステアリング角度について合成されて１のフレーム音響線信号を構成する。
【０１１０】
２．強調処理部６Ａ
強調処理部６Ａは、サブフレーム強調量マップ作成部６２Ａ、音響線信号強調部６３Ａ、サブフレーム強調量マップバッファ６４Ａ、及びフレーム強調量マップ合成部６５Ａから構成されている。
サブフレーム強調量マップ作成部６２Ａは、サブフレーム音響線信号におけるサブフレーム内の音響線信号の画素領域の強度を検出し、着目画素領域の音響線信号と着目画素領域周囲の画素領域の音響線信号との間で信号強度の差分を算出する。この差分が大きいほどその着目画素領域の音響線信号に対する強調量が大きくなる条件でサブフレーム強調量マップを作成し、サブフレーム強調量マップバッファ６４Ａに出力する。
【０１１１】
サブフレーム強調量マップバッファ６４Ａは、サブ走査が行われる毎に時系列に送信されるサブフレーム強調量マップを記憶する。
フレーム強調量マップ合成部６５Ａは、超音波走査が行われるたびに、フレームを構成する複数のサブフレーム強調量マップを、サブフレーム強調量マップが重なる部分を加算平均する空間コンパウンド法により合成してフレーム強調量マップを生成し、音響線信号強調部６３Ａに出力する。
【０１１２】
音響線信号強調部６３Ａは、フレーム音響線信号に対しフレーム強調量マップに基づいて強調処理を施し強調済フレーム音響線信号をＢモード画像生成部４に出力する。Ｂモード画像生成部４は、音響線信号に対して包絡線検波、対数圧縮などの処理を実施して輝度変換し、その輝度信号を直交座標系に座標変換を施すことでＢモード画像信号に変換して表示制御部７に出力する。
【０１１３】
上記構成において、音響線信号合成部５２Ａ、フレーム強調量マップ合成部６５Ａ、及び、音響線信号強調部６３Ａは、強調音響線信号生成部ＳＡを構成する。
＜動作について＞
以上の構成からなる超音波診断装置１０Ａの動作について説明する。動作の概略を示すフローチャートは、図２において、Ｂモード画像信号が音響線信号に置換わる以外は同じである。図３は、超音波診断装置１０Ａの動作を示す説明図である。
【０１１４】
図３に示すように、上段から順に、超音波走査１の期間にサブ走査１、２、３が行われると、取得した各音響線信号に基づいてサブフレーム音響線信号１、２、３が順次取得され、それらが合成されフレーム音響線信号（１＋２＋３）が生成される。
また、各サブフレーム音響線信号に基づき、各サブフレーム強調量マップが作成され、それらが合成されフレーム音響線信号（１＋２＋３）が生成される。本例では、各サブフレーム強調量マップの作成は、各サブ走査が行われる構成とした。しかしながら、超音波走査１の期間内における任意のタイミングで行われる構成であってもよい。
【０１１５】
そして、フレーム音響線信号（１＋２＋３）が、フレーム強調量マップ（１＋２＋３）に基づいて強調され強調済フレーム音響線信号（１＋２＋３）×（ｋ）が生成され、表示制御部７に出力される。
以下、下段に向けて順に、超音波走査２、３、４が行われ、フレーム音響線信号とフレーム強調量マップの合成、及び強調済フレーム音響線信号の生成がされる。これらの処理は、各サブ走査が行われるたびに新たに取得されたサブフレーム音響線信号を古いサブフレーム音響線信号に置き換えて順次行われる。そのため、サブ走査が行われるたびに強調済フレーム音響線信号を出力することができ、滑らかな表示が可能となる。
【０１１６】
＜小  括＞
以上、説明したとおり、超音波診断装置１０Ａは、実施の形態１において示した超音波診断装置１０の効果に加えて、以下の効果を奏する。
超音波診断装置１０Ａでは、複数のサブフレームの音響線信号に含まれる画素領域の音響線信号から算出した特性値に基づきサブフレーム強調量マップを作成する。これにより、Ｂモード画像信号に変えて音響線信号に強調処理を行うことで、Ｂモード画像生成時に含まれる操作者固有の画質調整の影響を排除して音響線信号の段階で穿刺針に対する強調量を決定することができる。そのため、操作者固有の調整に依存しない強調量の決定が可能となる。  また、特性値として、サブフレームの音響線信号における画素領域の受信信号と当該画素領域周囲の画素領域の受信信号との差分（変化量）に基づき、画素領域の音響線信号に対する強調量を算出する。これにより、サブフレーム音響線信号のフレーム間差分を行うことなくサブフレーム強調量マップを作成することができるので、操作者固有の調整に依存しない強調量の決定が可能となる。た、サブ走査が行われるたびに、強調済フレーム音響線信号を新しく更新して表示制御部７に出力することができ、滑らかな画像表示が可能となる。
【０１１７】
＜その他の変形例＞
以上、各実施の形態に係る超音波診断装置について説明した。なお、本発明は、各実施の形態に限定されるものではなく実施の態様に基づき適宜変更可能である。
上記実施の形態１では、強調受信信号生成ステップＳ２０４は、複数のサブフレーム受信信号に対するサブフレーム強調量マップを平均化することによりフレーム強調量マップを作成するサブステップＳ２０４１と、複数のサブフレーム受信信号を合成することによりフレーム受信信号を生成するサブステップＳ２０４２と、フレーム受信信号に含まれる各画素領域の受信信号に、フレーム強調量マップに含まれる各画素領域の受信信号に対する強調量を、画素領域毎に反省させてフレーム受信信号を強調するサブステップＳ２０４３とを有する構成とした。しかしながら、強調受信信号生成ステップＳ２０４は、複数のサブフレーム強調量マップのうち１以上のサブフレーム強調量マップに含まれる各画素領域の受信信号に対する強調量に基づいて、複数のサブフレーム受信信号に含まれる各画素領域の受信信号を画素領域を基準に合成しフレームの強調済受信信号を生成する構成であればよく、適宜変更してもよい。例えば、強調受信信号生成ステップＳ２０４は、各サブフレーム受信信号に含まれる各画素領域の受信信号に、各サブフレーム強調量マップに含まれる各画素領域の受信信号に対する強調量を画素領域毎に反映させて各サブフレームの強調済受信信号を生成するサブステップと、各サブフレームの強調済受信信号を平均化してフレームの強調済受信信号を生成するサブステップとを有する構成としてもよい。これにより、上記実施の形態１において示した超音波診断装置１０と同じ効果を奏することができる。
【０１１８】
また、上記実施形態では、Ｂモード画像強調部６３は、強調量が大きいほど対象画素領域の受信信号が示す輝度が増幅されるようＢモード画像信号に対し強調処理を施す構成とした。しかしながら、強調量の表示態様はこれに限定されず、適宜変更してもよい、例えば、Ｂモード画像強調部６３は、強調量に基づき対象画素領域の受信信号に基づき表示器に表示される色が変更されるようにＢモード画像信号に対し強調処理を施す構成としてもよい。また、強調量が大きいほど対象画素領域の受信信号に対する強調効果時間を増加するように時系列的にＢモード画像信号に対し強調処理を施す構成としてもよい。これにより、強調効果をより目立つように表現することができる。
【０１１９】
また、例えば、上記実施の形態においては、超音波探触子は、複数の圧電素子が一次元方向に配列された超音波探触子構成を示した。しかしながら、超音波探触子の構成は、これに限定されるものではなく、例えば、複数の圧電変換素子が２次元に配列された超音波探触子を用いることも可能である。２次元に配列された超音波探触子を用いた場合、圧電変換素子に電圧を与えるタイミングや電圧の値を個々に変化させることによって、送信する超音波ビームの照射位置や照射方向を制御することができる。
【０１２０】
また、超音波探触子は、送受信処理部の一部の機能を含んでいてもよい。例えば、送受信処理部から出力された送信電気信号を生成するための制御信号に基づき、超音波探触子内で送信電気信号を生成し、この送信電気信号を超音波に変換する。併せて、受信した反射超音波を受信電気信号に変換し、超音波探触子内で受信電気信号に基づき受信信号を生成する構成を採ることができる。
【０１２１】
また、各実施の形態に係る超音波診断装置に含まれる各処理部は典型的には集積回路であるＬＳＩとして実現される。これらは個別に１チップ化されてもよいし、一部又は全てを含むように１チップ化されてもよい。
また、実施の形態では、各ブロックは、独立したハードウエアによる構成として説明した。しかしながら、超音波診断装置を構成する各ブロックは、必ずしも独立したハードウエアによって構成される必要はなく、例えば、各ブロックを必要に応じて一体としたＣＰＵおよびソフトウエアによって、その機能を実現する構成であってもよい。
【０１２２】
また、超音波診断装置の各機能ブロックは、各々の機能ブロックの一部又は全部の機能を、典型的には集積回路であるＬＳＩとして実現することもできる。これらは個別に１チップ化されてもよいし、一部または全てを含むように１チップ化されてもよい。なお、ＬＳＩは、集積度の違いにより、ＩＣ、システムＬＳＩ、スーパーＬＳＩ、ウルトラＬＳＩと呼称されることもある。
【０１２３】
なお、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサー（ＲｅＣｏｎｆｉｇｕｒａｂｌｌｅ  Ｐｒｏｃｅｓｓｏｒ）を利用してもよい。
【０１２４】
さらには、半導体技術の進歩または派生する別技術によりＬＳＩに置き換わる集積回路化の技術が登場すれば、当然、その技術を用いて機能ブロックの集積化を行ってもよい。
また、各実施の形態に係る、超音波診断装置の機能の一部又は全てを、ＣＰＵ等のプロセッサがプログラムを実行することにより実現してもよい。
さらに、本発明は上記プログラムであってもよいし、上記プログラムが記録された非一時的なコンピュータ読み取り可能な記録媒体であってもよい。また、上記プログラムは、インターネット等の伝送媒体を介して流通させることができるのは言うまでもない。
【０１２５】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
また、上記のステップが実行される順序は、本発明を具体的に説明するために例示するためのものであり、上記以外の順序であってもよい。また、上記ステップの一部が、他のステップと同時（並列）に実行されてもよい。
【０１２６】
また、各実施の形態に係る超音波診断装置、及びその変形例の機能のうち少なくとも一部を組み合わせてもよい。
さらに、本実施の形態に対して当業者が思いつく範囲内の変更を施した各種変形例も本発明に含まれる。
≪まとめ≫
以上、説明したとおり、本実施の形態に係る超音波画像処理方法は、複数のステアリング角度の超音波ビームによりなされ各々被検体内における走査範囲が異なる複数回のサブ走査から構成される超音波走査により、超音波探触子を介して被検体から取得した複数のサブフレーム受信信号を合成してフレーム受信信号を生成する超音波画像処理方法であって、複数のサブフレーム受信信号を取得するステップＳ２０１と、複数のサブフレーム受信信号に含まれる１又は複数の画素からなる画素領域の受信信号から算出した特性値に基づき、画素領域の受信信号に対する強調量を算出して、複数のサブフレーム受信信号に対する複数のサブフレーム強調量マップを作成するステップＳ２０２と、複数のサブフレーム強調量マップのうち１以上のサブフレーム強調量マップに含まれる各画素領域の受信信号に対する強調量に基づいて、複数のサブフレーム受信信号に含まれる各画素領域の受信信号を画素領域を基準に合成しフレームの強調済受信信号を生成する強調受信信号生成ステップＳ２０４とを有することを特徴とする。
【０１２７】
本実施の形態に係る超音波診断装置は、複数のステアリング角度の超音波ビームによりなされ各々被検体内における走査範囲が異なる複数回のサブ走査から構成される超音波走査により、超音波探触子を介して被検体から取得した複数のサブフレーム受信信号を合成してフレーム受信信号を生成する超音波診断装置であって、複数のサブフレーム受信信号を取得する受信信号取得部５１と、複数のサブフレーム受信信号に含まれる１又は複数の画素からなる画素領域の受信信号から算出した特性値に基づき、画素領域の受信信号に対する強調量を算出して、複数のサブフレーム受信信号に対する複数のサブフレーム強調量マップを作成するサブフレーム強調量マップ作成部６２と、複数のサブフレーム強調量マップのうち１以上のサブフレーム強調量マップに含まれる各画素領域の受信信号に対する強調量に基づいて、複数のサブフレーム受信信号に含まれる各画素領域の受信信号を画素領域を基準に合成しフレームの強調済受信信号を生成する強調受信信号生成部Ｓとを備えたことを特徴とする。
【０１２８】
また、別の態様では、強調受信信号生成部Ｓは、複数のサブフレーム受信信号に対するサブフレーム強調量マップを平均化、又は、当該サブフレーム受信信号を取得したときのステアリング角度に関連する補正条件に基づき合成することによりフレーム強調量マップを作成するフレーム強調量マップ合成部６５と、複数のサブフレーム受信信号を合成することによりフレーム受信信号を生成する受信信号合成部５２と、フレーム受信信号に含まれる各画素領域の受信信号に、フレーム強調量マップに含まれる各画素領域の受信信号に対する強調量を、画素領域毎に反映させてフレーム受信信号を強調する受信信号強調部６３とを備えた構成であってもよい。
【０１２９】
係る構成により、穿刺針に対する強調量を適切にマッピングしたフレーム強調量マップを作成することができ、空間コンパウンド法を用いた超音波画像診断において穿刺針の視認性向上が可能となる。そのため、超音波診断装置の使い勝手を向上させることができる。
≪補足≫
以上で説明した実施の形態は、いずれも本発明の好ましい一具体例を示すものである。実施の形態で示される数値、形状、材料、構成要素、構成要素の配置位置及び接続形態、工程、工程の順序などは一例であり、本発明を限定する主旨ではない。また、実施の形態における構成要素のうち、本発明の最上位概念を示す独立請求項に記載されていない工程については、より好ましい形態を構成する任意の構成要素として説明される。
【０１３０】
また、発明の理解の容易のため、上記各実施の形態で挙げた各図の構成要素の縮尺は実際のものと異なる場合がある。また本発明は上記各実施の形態の記載によって限定されるものではなく、本発明の要旨を逸脱しない範囲において適宜変更可能である。
さらに、超音波診断装置においては基板上に回路部品、リード線等の部材も存在するが、電気的配線、電気回路について当該技術分野における通常の知識に基づいて様々な態様を実施可能であり、本発明の説明として直接的には無関係のため、説明を省略している。尚、上記示した各図は模式図であり、必ずしも厳密に図示したものではない。
【産業上の利用可能性】
【０１３１】
本開示に係る超音波画像処理方法及びそれを用いた超音波診断装置によれば、上記構成とすることで、操作者にとって使い勝手を向上させることが可能となる。したがって、超音波画像処理方法及びそれを用いた超音波診断装置において広く活用することができる。
【符号の説明】
【０１３２】
１、１Ｘ        超音波探触子
２、２Ｘ        超音波送受信部
３、３Ｘ        送受信制御部
４、４Ｘ        Ｂモード画像生成部
５、５Ｘ        Ｂモード画像処理部
５Ａ            音響線信号処理部
６、６Ａ、６Ｙ  強調処理部
７、７Ｘ        表示制御部
８、８Ｘ        表示器
１０、１０Ａ    超音波診断装置
１０Ｘ、１０Ｙ  超音波診断装置
５１、５１Ｘ  Ｂモード画像取得部（受信信号取得部）
５１Ａ        音響線信号取得部（受信信号取得部）
５２、５２Ｘ  Ｂモード画像合成部（受信信号合成部）
５２Ａ        音響線信号合成部（受信信号合成部）
６１Ｙ        強調処理用Ｂモード画像取得部
６２、６２Ａ  サブフレーム強調量マップ作成部
６２Ｙ        強調量マップ作成部
６３、６３Ｙ  Ｂモード画像強調部（受信信号強調部）
６３Ａ        音響線信号強調部（受信信号強調部）
６４、６４Ａ  サブフレーム強調量マップバッファ
６５、６５Ａ  フレーム強調量マップ合成部
Ｓ              強調Ｂモード画像生成部（強調受信信号生成部）、
ＳＡ            強調音響線信号生成部（強調受信信号生成部）
Ｓ２０１        サブフレームＢモード画像（受信信号）を取得するステップ
Ｓ２０２        サブフレーム強調量マップを作成するステップ
Ｓ２０３        強調Ｂモード画像（受信信号）生成ステップ
Ｓ２０４  強調Ｂモード画像生成ステップ
Ｓ２０４１    フレーム強調量マップを作成するサブステップ
Ｓ２０４２    フレームＢモード画像（受信信号）を生成するサブステップ
Ｓ２０４３    フレームＢモード画像（受信信号）を強調するサブステップ
【図１】
2015213579.tif 000003
【図２】
2015213579.tif 000004
【図３】
2015213579.tif 000005
【図４】
2015213579.tif 000006
【図７】
2015213579.tif 000007
【図９】
2015213579.tif 000008
【図１１】
2015213579.tif 000009
【図１３】
2015213579.tif 000010
【図１５】
2015213579.tif 000011
【図１６】
2015213579.tif 000012
【図１７】
2015213579.tif 000013
【図１８】
2015213579.tif 000014
【図１９】
2015213579.tif 000015
【図２０】
2015213579.tif 000016
【図２２】
2015213579.tif 000017
【図２３】
2015213579.tif 000018
【図２４】
2015213579.tif 000019
【図２５】
2015213579.tif 000020
【図２６】
2015213579.tif 000021
【図５】
2015213579.tif 000022
【図６】
2015213579.tif 000023
【図８】
2015213579.tif 000024
【図１０】
2015213579.tif 000025
【図１２】
2015213579.tif 000026
【図１４】
2015213579.tif 000027
【図２１】
2015213579.tif 000028